(57)【要約】【課題】  表示記録媒体のデザインを損ねることなく、表示記録媒体の様々なセットミスを検知することができる表示記録媒体、画像書込み装置および画像形成装置を提供する。【解決手段】  表示記録媒体１００の表面１００ａおよび裏面に光反射率の異なる第１および第２のデザインパターン１１０Ａ，１２０Ａを設け、表示記録媒体１００が所定の位置にセットされたとき、第１および第２のデザインパターン１１０Ａ，１１０Ｂ，１２０Ａ，１２０Ｂの一部に設定された検出領域の光反射率を第１および第２の光センサ６Ａ，６Ｂにより検出して表示記録媒体１００のセット異常を検知する。【選択図】      図１
2005085020.tif 000002
【特許請求の範囲】
【請求項１】
書換え可能な表示記録媒体において、
表面および裏面に所定の光反射率を有する第１のデザインパターンと前記所定の光反射率と異なる光反射率を有する第２のデザインパターンとが設けられ、
前記第１および第２のデザインパターンは、それぞれ一部に光反射率の検出領域を含むことを特徴とする表示記録媒体。
【請求項２】
前記第１および第２のデザインパターンは、前記検出領域を模様として含むことを特徴とする請求項１記載の表示記録媒体。
【請求項３】
書込みパターン光の照射によって画像が書き込まれる光書込み表示記録媒体であることを特徴とする請求項１記載の表示記録媒体。
【請求項４】
前記第１および第２のデザインパターンは、前記書込みパターン光が照射される領域の外側に形成されたことを特徴とする請求項３記載の表示記録媒体。
【請求項５】
前記第１および第２のデザインパターンは、表面層上に印刷あるいは貼付けにより形成されたものであることを特徴とする請求項１記載の表示記録媒体。
【請求項６】
前記第１および第２のデザインパターンは、一方が表面層上の一部に印刷あるいは貼付けにより形成されたものであり、他方が前記印刷パターン以外の前記表面層に形成されたものであることを特徴とする請求項１記載の表示記録媒体。
【請求項７】
表面および裏面に所定の光反射率を有する第１のデザインパターンと前記所定の光反射率と異なる光反射率を有する第２のデザインパターンとが設けられた書換え可能な表示記録媒体に画像を書き込む画像書込み装置において、
前記表示記録媒体が所定の位置にセットされたとき、前記第１および第２のデザインパターンの一部に設定された検出領域の光反射率を検出して前記表示記録媒体のセット異常を検知する検知手段を備えたことを特徴とする画像書込み装置。
【請求項８】
前記検知手段は、前記検出領域に光を照射し、前記検出領域で反射した光を受光して検出信号を出力する一対の光センサと、前記一対の光センサからの前記検出信号に基づいて前記検出領域の光反射率の大小の組合せにより前記表示記録媒体の向きを判別する判別手段とを備えたことを特徴とする請求項７記載の画像書込み装置。
【請求項９】
前記検知手段は、前記判別手段による前記表示記録媒体の向きにより前記セット異常を検出したとき、その旨を表示する表示手段を備えたことを特徴とする請求項８記載の画像書込み装置。
【請求項１０】
前記検知手段は、前記判別手段による前記表示記録媒体の向きにより前記セット異常を検出したとき、前記検出領域の光反射率の大小の組合せにより前記セット異常の内容を表示する表示手段を備えたことを特徴とする請求項８記載の画像書込み装置。
【請求項１１】
前記一対の光センサは、前記表示記録媒体が前記所定の位置に挿入される挿入口の中心の両側に配置されたことを特徴とする請求項８記載の画像書込み装置。
【請求項１２】
前記検知手段は、前記表示記録媒体の表裏および挿入方向の向きを検知することを特徴とする請求項７記載の画像書込み装置。
【請求項１３】
表面および裏面に所定の光反射率を有する第１のデザインパターンと前記所定の光反射率と異なる光反射率を有する第２のデザインパターンとが設けられた書換え可能な表示記録媒体と、
前記表示記録媒体が所定の位置にセットされたとき、前記第１および第２のデザインパターンの一部に設定された検出領域の光反射率を検出して前記表示記録媒体のセット異常を検知する検知手段とを備えたことを特徴とする画像形成装置。
【発明の詳細な説明】
【技術分野】
【０００１】
本発明は、画像の書換えが可能な表示記録媒体、画像書込み装置および画像形成装置に関し、特に、表示記録媒体のデザインを損ねることなく、表示記録媒体の様々なセットミスを検知することができる表示記録媒体、画像書込み装置および画像形成装置に関する。
【背景技術】
【０００２】
近年、環境負荷の低減の観点より画像の書き換えが可能であり、何度でも反復使用が可能な様々な表示記録媒体が提案されている（例えば、特許文献１〜４参照。）。
【０００３】
特許文献１に記載された表示記録媒体は、磁気により塑性流体内のマイクロカプセルの方向が変化するリライト印字表示タグの表面に円形の磁気シート、裏面に円形のシールを貼り付けたものであり、磁気シートとシールの光反射率の違いにより、表裏判別を行うことができる。
【０００４】
特許文献２に記載された表示記録媒体は、可逆性感熱記録層を備えたリライト型ＩＣカードの表面に半円形の表裏検出カットを設けたものであり、この表裏検出カットの有無を検出することにより、表裏判別を行うことができる。
【０００５】
特許文献３に記載された表示記録媒体は、電界駆動型又は磁気駆動型の可逆性表示記録媒体の表面と裏面の異なる位置に矩形の光反射面を設けたものであり、各光反射面に対応する発光素子および受光素子を用いることにより、表裏判別を行うことができる。
【０００６】
特許文献４に記載された表示記録媒体は、片面可逆性感熱記録フィルムの搬送方向後端の一端に矩形の切り欠きを設けたものであり、フィルムの両側端に対応する位置に設けた通過センサにより、通過センサが切り欠きを検出したか否かにより、フィルムの表裏判別を行うことができる。
【特許文献１】特開平８−７７３０９号公報（［００２７］、［００３２］、図２）
【特許文献２】特開平１１−２４５５６６号公報（図１、図３）
【特許文献３】特開２００１−３４７７２７号公報（［００３９］〜［００５１］、  ［０１６２］、［０１６３］、図２５）
【特許文献４】特許第３２５４２５３号公報（［００３５］、［００４０］、図８）
【発明の開示】
【発明が解決しようとする課題】
【０００７】
しかし、従来の表示記録媒体は、セット異常を検出するマークが円形、矩形等の単純な形状を有しているため、表示記録媒体にデザインを施してもそのマークによってデザインが損なわれるという問題がある。また、表裏判別を行えても、挿入方向のセットミスについては判別できなため、上下逆さまに画像が書き込まれるという不都合がある。
【０００８】
従って、本発明の目的は、表示記録媒体のデザインを損ねることなく、表示記録媒体の様々なセットミスを検知することができる表示記録媒体、画像書込み装置および画像形成装置を提供することにある。
【課題を解決するための手段】
【０００９】
本発明は、上記目的を達成するため、書換え可能な表示記録媒体において、表面および裏面に所定の光反射率を有する第１のデザインパターンと前記所定の光反射率と異なる光反射率を有する第２のデザインパターンとが設けられ、前記第１および第２のデザインパターンは、それぞれ一部に光反射率の検出領域を含むことを特徴とする表示記録媒体を提供する。
【００１０】
本発明は、上記目的を達成するため、表面および裏面に所定の光反射率を有する第１のデザインパターンと前記所定の光反射率と異なる光反射率を有する第２のデザインパターンとが設けられた書換え可能な表示記録媒体に画像を書き込む画像書込み装置において、前記表示記録媒体が所定の位置にセットされたとき、前記第１および第２のデザインパターンの一部に設定された検出領域の光反射率を検出して前記表示記録媒体のセット異常を検知する検知手段を備えたことを特徴とする画像書込み装置を提供する。
【００１１】
本発明は、上記目的を達成するため、表面および裏面に所定の光反射率を有する第１のデザインパターンと前記所定の光反射率と異なる光反射率を有する第２のデザインパターンとが設けられた書換え可能な表示記録媒体と、前記表示記録媒体が所定の位置にセットされたとき、前記第１および第２のデザインパターンの一部に設定された検出領域の光反射率を検出して前記表示記録媒体のセット異常を検知する検知手段とを備えたことを特徴とする画像形成装置を提供する。
【発明の効果】
【００１２】
本発明の表示記録媒体、画像書込み装置および画像形成装置によれば、デザインパターンの一部の小さな領域を利用して光反射率を検出しているので、表示記録媒体のデザインを損ねることがなくなる。また、光反射率の異なる検出領域を表示記録媒体の表面および裏面の所定に位置に設定することにより、様々なセットミスを検知することが可能となる。
【発明を実施するための最良の形態】
【００１３】
図１は、本発明の第１の実施の形態に係る画像形成装置を示し、（ａ）は平面図、（ｂ）は正面図である。この画像形成装置は、書換え可能な表示記録媒体１００と、下部筐体２と上部筐体３との間に空間３ｂを有し、その挿入口３ａに挿入された表示記録媒体１００に画像を書き込む画像書込み装置１とから構成される。
【００１４】
下部筐体２は、その上面に設けられ、表示記録媒体１００のセット異常等のメッセージをＬＣＤ(Liquid Crystal Display)により表示するメッセージ表示部５と、挿入口３ａに挿入された表示記録媒体１００を空間３ｂ内の書込み位置まで移動する後述する媒体移動部とを備える。
【００１５】
上部筐体３は、挿入口３ａの中心の両側に設けられ、表示記録媒体１００の光反射率を検出する第１および第２の光センサ６Ａ，６Ｂと、表示記録媒体１００固有の媒体ＩＤ(Identification)を無線ＩＤタグ１０３から読み取るＩＤ読取部７と、表示記録媒体１００に画像を書き込む後述する書込み部とを備える。第１および第２の光センサ６Ａ，６Ｂは、それぞれ表示記録媒体１００の検出領域に光を照射する発光素子と、その検出領域で反射した光を受光する受光素子とを備える。また、上部筐体３は、表示記録媒体１００のジャム等の異常時あるいはメンテナンス時のために、ヒンジ４により下部筐体２上に開閉可能に設けられている。
【００１６】
図２は、下部筐体２に収容された媒体移動部を示し、図３（ａ）は、図２におけるＡ−Ａ線断面図、図３（ｂ）は、図２におけるＢ−Ｂ線断面図である。この媒体移動部８は、挿入口３ａからセット位置に挿入された表示記録媒体１００を空間３ｂ内に搬送する図２および図３（ａ）に示す媒体搬送部８０と、表示記録媒体１００を上方に押し付けて書込み位置まで移動させる図２および図３（ｂ）に示す媒体押付け部８１とを備える。ここで、「セット位置」とは、表示記録媒体１００の光反射率が検出される位置をいうものとする。
【００１７】
媒体搬送部８０は、図２および図３（ａ）に示すように、下部筐体２の上面の両側に形成された一対の開口２ａから僅かに突出するように設けられた一対の搬送ベルト８００と、一対の搬送ベルト８００が張設された複数の搬送ローラ８０１と、搬送ローラ８０１を駆動する図示しないモータとを備える。
【００１８】
媒体押付け部８１は、図２および図３（ｂ）に示すように、下部筐体２の中央に形成された開口２ｂから出没可能に設けられ、表示記録媒体１００が載置される押圧板８１０と、押圧板８１０を上方へ押し上げる電磁ソレノイド８１１とを備える。画像書込み時に画像表示領域１０１がＬＣＤパネル９１に密着している必要があるため、押圧板８１０は、少なくとも画像表示領域１０１と同等の大きさを有するが、画像表示領域１０１より大きくても、表示記録媒体１００と同等かそれより大きくてもよい。
【００１９】
図３（ｂ）は、上部筐体３に収容された書込み部を示す。この書込み部９は、表示記録媒体１００の画像表示領域１０１と同等の大きさを有し、画像の書込みパターン光を画像表示領域１０１に照射するＬＣＤ(Liquid Crystal Display)パネル９１と、ＬＣＤパネル９１の背面からバックライト光を照射するバックライト９０とを備える。
【００２０】
図４は、画像書込み装置１の制御系を示す。この画像書込み装置１は、この装置１全体を制御する制御部１０を有し、この制御部１０に前述したメッセージ表示部５、第１および第２の光センサ６Ａ，６Ｂ、ＩＤ読取部７、媒体搬送部８０および媒体押付け部８１を接続している。また、この制御部１０は、表示記録媒体１００に書き込むべき画像データを記憶する画像データ記憶部１２と、ＬＣＤパネル９１に画像データに応じた駆動信号を供給するＬＣＤパネル駆動部１３と、書込み位置に位置する表示記録媒体１００に給電点からパルス電圧を印加するパルス電源部１４と、ＬＡＮ(Local Area Network)等のネットワークに接続された通信インタフェース（Ｉ／Ｆ）１５と、バックライト９０を点灯するバックライト点灯部１６とを備える。
【００２１】
図５（ａ）は、表示記録媒体１００の表面、同図（ｂ）はその裏面を示す。この表示記録媒体１００は、薄型矩形状を有し、表面１００ａには、同図（ａ）に示すように、書込みパターン光が照射されるとともに、書込み後は表面１００ａ側に画像を表示する画像表示領域１０１と、ロゴマーク等が表記された広告領域１０２と、媒体ＩＤが読み取られる無線ＩＤタグ１０３と、一方の長辺近傍に光反射率の低い色（例えば黒色）によって形成された第１のデザインパターン１１０Ａと、光反射率の高い色（例えば白色）によって形成された第２のデザインパターン１２０Ａが設けられている。
【００２２】
また、裏面１００ｂには、同図（ｂ）に示すように、一方の短辺近傍に光反射率の低い色（例えば黒色）によって形成された第１のデザインパターン１１０Ｂと、光反射率の高い色（例えば白色）によって形成された第２のデザインパターン１２０Ｂが設けられ、第２のデザインパターン１２０Ｂには、表示記録媒体１００の挿入方向を示すマーク１０４が形成されている。
【００２３】
第１および第２のデザインパターン１１０Ａ，１１０Ｂ，１２０Ａ，１２０Ｂの一部には、表裏および挿入方向の向きを判別するための検出領域１１１ａ，１１１ｂ，１１２ａ，１１２ｂ，１２１ａ，１２１ｂ，１２２ａ，１２２ｂが設定されている。第１および第２のデザインパターン１１０Ａ，１１０Ｂ，１２０Ａ，１２０Ｂは、ともに表示記録媒体１００の表面層上に印刷あるいは貼付けにより形成されたものでもよく、一方が印刷あるいは貼付けにより形成され、他方が表示記録媒体１００の表面層の地色を用いたものでもよい。ここで、「デザインパターン」とは、デザインと光反射率の検出の両方を目的として表示記録媒体１００に施されたものをいい、光反射率の検出のみを目的とした従来のマークとは異なる。また、表示記録媒体１００の正しい「向き」は、図５（ａ）に示すように、広告領域１０２および無線ＩＤタグ１０３が上側に位置し、図１（ａ）に示すように、表示記録媒体１００の表面１００ａを上にして横向きで挿入口３ａに挿入する向きをいう。
【００２４】
図６は、表示記録媒体１００の層構造を示す模式図である。この表示記録媒体１００は、対向配置されたＰＥＴフィルムからなる一対の基板１５０Ａ，１５０Ｂと、一対の基板１５０Ａ，１５０Ｂの内側に設けられたＩＴＯ（酸化インジウム錫）からなる一対の透明電極１５１Ａ，１５１Ｂと、一対の透明電極１５１Ａ，１５１Ｂの裏面１００ｂ側に設けられ、書込みパターン光９２の照射によって抵抗値が小さくなる光導電層１５４と、光導電層１５４の上側に隔離層１５３を介して設けられ、印加電圧に応じて反射率（透過率）が変化するコレステリック液晶からなる表示層１５２と、裏側の基板１５０Ｂの下面に形成された光吸収層１５５とを備える。
【００２５】
次に、第１の実施の形態の動作を説明する。表示記録媒体１００を挿入口３ａからセット位置に挿入すると、第１および第２の光センサ６Ａ，６Ｂの発光素子が発光する光が表示記録媒体１００の表面１００ａの検出領域１１１ａ，１１２ａ，１２１ａ，１２２ａで反射し、受光素子がその反射光を受光して光反射率に応じた電圧の検出信号を制御部１０に送信する。媒体向き判別部１１は、第１および第２の光センサ６Ａ，６Ｂからの検出信号に基づいて表示記録媒体１００の向きを判別する。
【００２６】
ここで、媒体向き判別部１１による表示記録媒体１００の向きの判別を図７および表１を参照して説明する。
【００２７】
図７は、表示記録媒体１００の挿入例を示し、表１は、媒体向き判別部１１内のメモリに記憶されている判別条件を示す。表１中、ケースは図７（ａ）〜（ｆ）の各場合を示す。
【００２８】
【表１】
2005085020.tif 000003
表示記録媒体１００が図７（ａ）に示すように正しい向き（表面１００ａが表、横向き）で挿入された場合は、表１に示すように、第１および第２の光センサ６Ａ，６Ｂがともに検出領域１２１ａ，１２１ｂの高い光反射率、すなわち白（Ｗ）を検出しているので、媒体向き判別部１１はセットがメモリの記憶内容から正しいと判別し、後述するように表示記録媒体１００への画像の書込みが行われる。
【００２９】
図７（ａ）以外の場合は、媒体向き判別部１１は、メモリの記憶内容からセット異常と判別する。すなわち、図７（ｂ）の場合は、第１および第２の光センサ６Ａ，６Ｂは、検出領域１１１ａ，１１２ａの低い光反射率（Ｂ）を検出し、図７（ｃ）の場合は、第１の光センサ６Ａは検出領域１２１ｂの高い光反射率（Ｗ）、第２の光センサ６Ｂは検出領域１１１ｂの低い光反射率（Ｂ）を検出し、図７（ｄ）の場合は、第１の光センサ６Ａは検出領域１１２ｂの低い光反射率（Ｂ）、第２の光センサ６Ｂは検出領域１２２ｂの高い光反射率（Ｗ）を検出し、図７（ｅ）の場合は、第１の光センサ６Ａは検出領域１１１ａの低い光反射率（Ｂ）、第２の光センサ６Ｂは表示記録媒体１００からの反射光を受光できないために低い光反射率（Ｂ）を検出し、図７（ｆ）の場合は、第１の光センサ６Ａは表示記録媒体１００からの反射光を受光できないために低い光反射率（Ｂ）を検出し、第２の光センサ６Ｂは検出領域１２１ａの高い光反射率（Ｗ）を検出する。図７（ｂ）〜（ｆ）の場合は、媒体向き判別部１１がセット異常と判断し、制御部１０はメッセージ表示部５に「媒体の向きが間違っています。再度正しい向きで挿入してください。」のようなセット異常が発生した旨、および再度挿入を促すエラーメッセージを表示するとともに、表示記録媒体１００の搬送は行わない。エラーメッセージを表示するとき、「媒体の表裏が逆です。」等のエラーの内容も表示してもよい。
【００３０】
正しい向きで表示記録媒体１００が挿入されると、制御部１０は、第１および第２の光センサ６Ａ，６Ｂにより表示記録媒体１００が挿入されたことを検出し、媒体搬送部８０の図示しないモータを駆動して表示記録媒体１００を搬送する。押圧板８１０上の所定の位置まで表示記録媒体１００が搬送されると、制御部１０は、媒体押付け部８１の電磁ソレノイド８１１を駆動して押圧板８１０を持ち上げ、表示記録媒体１００の表面１００ａを書込み部９のＬＣＤパネル９１に密着させる。なお、表示記録媒体１００の挿入の検出は、第１および第２の光センサ６Ａ，６Ｂを用いずに別途設けたマイクロスイッチ、フォトセンサ等のセンサを用いてもよい。
【００３１】
表示記録媒体１００がＬＣＤパネル９１に密着すると、ＩＤ読取部７は、無線ＩＤタグ１０３から媒体ＩＤを読み取る。この媒体ＩＤは、表示記録媒体１００の管理情報として用いられる。なお、無線ＩＤタグ１０３の代りにバーコード、非接触ＩＣ等の他のＩＤを用いてもよい。
【００３２】
また、制御部１０は、ＬＣＤパネル駆動部１３、パルス電源部１４およびバックライト点灯部１６を駆動して表示記録媒体１００への画像書込み動作を行う。すなわち、制御部１０は、バックライト点灯部１６によりバックライト９０からバックライト光をＬＣＤパネル９１に照射させ、パルス電源部１４から表示記録媒体１００の透明電極１５１Ａ，１５１Ｂ間に給電点を介してパルス電圧を印加させるとともに、ＬＣＤパネル駆動部１３から画像データ記憶部１２に記憶されている画像データに基づく駆動信号をＬＣＤパネル９１に出力させる。ＬＣＤパネル９１は、駆動信号に基づいて書込みパターン光９２を表示記録媒体１００の表面１００ａの画像書込み領域１０１に照射する。書込みパターン光９２は、表示記録媒体１００の表面１００ａ側の基板１５０Ａ、透明電極１５１Ａ、表示層１５２および隔離層１５３を通って光導電層１５４を照射する。光導電層１５４は、書込みパターン光９２が照射されると抵抗値が小さくなり、それにより、光導電層１５４とのインピーダンス比で決まる表示層１５２の分圧が増加し、表示層１５２における光反射率が大きくなる。従って、画像書込み領域１０１を表面１００ａから見た場合、書込みパターン光９２が照射された領域は表示層１５２で反射して白く見え、書込みパターン光９２が照射されていない領域は表示層１５２を通過して光吸収層１５５で吸収されるため、黒く見える。なお、表示記録媒体１００に書き込むべき画像データは、外部装置から通信Ｉ／Ｆ１５を介して取り込んでもよい。
【００３３】
画像の書込みが終了すると、制御部１０は、媒体押付け部８１を制御して押圧板８１０を元の位置に退避させ、媒体搬送部８０を制御して搬送ベルト８００を逆方向に回転させて表示記録媒体１００を挿入口３ａから外部に排出する。
【００３４】
この第１の実施の形態によれば、以下の効果が得られる。
（イ）デザインパターン１１０Ａ，１１０Ｂ，１２０Ａ，１２０Ｂの一部を利用して光反射率を検出しているので、表示記録媒体１００のデザインを損ねることがなくなる。
（ロ）表示記録媒体１００の表面１００ａおよび裏面１００ｂの偏心した位置（四隅）に光反射率の異なる検出領域１１１ａ，１１１ｂ，１１２ａ，１１２ｂ，１２１ａ，１２１ｂ，１２２ａ，１２２ｂを設けているので、表示記録媒体１００の様々なセットミスを検知することができる。
（ハ）表示記録媒体１００が正しく挿入されたことを検知してから、画像書込み動作を行うため、書込み不能や書込みミスの発生を防ぐことができる。
（ニ）表示記録媒体１００の向きを間違えた場合、画像書込み装置１は表示記録媒体１００の搬送動作を行わないので、表示記録媒体１００の破損や損傷、搬送不良を防止することができる。
（ホ）挿入方向の向きを検知しているので、画像書込み領域１０１が表示記録媒体１００に対して偏心した位置に設けられた表示記録媒体でも正しい書込みを行うことができる。また、画像書込み領域１０１の片側に広告領域１０２や無線ＩＤタグ１０３等のスペースを確保することができる。
（ヘ）書込みパターン光９２の照射する面と画像を表示する面とが同一面であるので、表示記録媒体１００の裏面に方向マーク１０４等の文字、記号、図形等を表記することができる。
（ト）書込みパターン光９２による面一括照射により画像データの書換えを高速に行うことができる。
【００３５】
なお、上記第１の実施の形態では、図７（ａ）に示す場合を正しい向きとして説明したが、これに限らず、あらゆる向きが正しい向きとなるように表示記録媒体のデザインパターン、および画像書込み装置の光センサを構成することができる。
【００３６】
図８は、本発明の第２の実施の形態に係る表示記録媒体の層構造を示す模式図である。この表示記録媒体１００は、図６に示す表示記録媒体１００に対して光吸収層１５５を隔離層１５３の位置に設けて裏面１００ｂから書込みパターン光９２を照射するようにしたものである。この場合は、図７（ｃ）が正しい向きとなる。この第２の実施の形態によれば、図７および表１から分かるように、図７（ｃ）に示す向きは、他の図７（ａ）、（ｂ）、（ｄ）、（ｅ）、（ｆ）に示す向きと区別することができるので、第１の実施の形態と同様に、表示記録媒体１００のデザインを損ねることなく、表示記録媒体１００の様々なセットミスを検知することができる。
【００３７】
なお、上記各実施の形態では、書換え可能な表示記録媒体として、書込みパターン光の照射によって書込みする光書込み表示記録媒体について説明したが、電界、磁気、熱等により書込みする電界駆動型、磁気駆動型、感熱記録型等の他の表示記録媒体でもよい。
【００３８】
また、上記第１の実施の形態では、第１および第２の光センサが共に高光反射率（白）を検出したとき、正しい向きと判断したが、一方が低光反射率（黒）、他方が高光反射率（白）、あるいは共に低光反射率（黒）を検出したときに正しい向きとなるように表示記録媒体のデザインパターンを定めてもよい。
【００３９】
また、第１および第２のデザインパターンの色は、光センサによって識別可能な光反射率差が生じるなら、白や黒以外の他の色でもよい。また、検出領域以外の領域は検出領域とは異なる色を用いてもよく、また、模様を設けてもよい。
【００４０】
また、デザインパターンの代りに、検出領域に対応する位置に光反射率を検出するためのシールを設けてもよい。
【図面の簡単な説明】
【００４１】
【図１】本発明の第１の実施の形態に係る画像形成装置を示し、（ａ）は平面図、（ｂ）は正面図である。
【図２】本発明の第１の実施の形態に係る画像書込み装置の下部筐体を示す平面図である。
【図３】（ａ）は、図２におけるＡ−Ａ線断面図、（ｂ）は、図２におけるＢ−Ｂ線断面図である。
【図４】本発明の第１の実施の形態に係る画像書込み装置の制御系を示すブロック図である。
【図５】（ａ）は、本発明の第１の実施の形態に係る表示記録媒体の表面、（ｂ）は、その裏面を示す図である。
【図６】本発明の第１の実施の形態に係る表示記録媒体の層構造を示す模式図である。
【図７】（ａ）〜（ｆ）は、本発明の第１の実施の形態に係る表示記録媒体の挿入例を示す図である。
【図８】本発明の第２の実施の形態に係る表示記録媒体の層構造を示す模式図である。
【符号の説明】
【００４２】
１  画像書込み装置
２  下部筐体
３  上部筐体
３ａ  挿入口
３ｂ  空間
４  ヒンジ
５  メッセージ表示部
６Ａ，６Ｂ  光センサ
７  ＩＤ読取部
８  媒体移動部
９  書込み部
１０  制御部
１１  媒体向き判別部
１２  画像データ記憶部
１３  ＬＣＤパネル駆動部
１４  パルス電源部
１５  通信インタフェース（Ｉ／Ｆ）
１６  バックライト点灯部
８０  媒体搬送部
８１  媒体押付け部
９０  バックライト
９１  ＬＣＤパネル
９２  書込みパターン光
１００  表示記録媒体
１００ａ  表面
１００ｂ  裏面
１０１  画像書込み領域
１０２  広告領域
１０３  無線ＩＤタグ
１０４  方向マーク
１１０Ａ，１１０Ｂ  第１のデザインパターン
１２０Ａ，１２０Ｂ  第２のデザインパターン
１１１ａ，１１２ａ，１２１ａ，１２２ａ  検出領域
１１１ｂ，１１２ｂ，１２１ｂ，１２２ｂ  検出領域
１５０Ａ，１５０Ｂ  基板
１５１Ａ，１５１Ｂ  透明電極
１５２  表示層
１５３  隔離層
１５４  光導電層
１５５  光吸収層
８００  搬送ベルト
８０１  搬送ローラ
８１０  押圧板
８１１  電磁ソレノイド
【図１】
2005085020.tif 000004
【図２】
2005085020.tif 000005
【図３】
2005085020.tif 000006
【図４】
2005085020.tif 000007
【図５】
2005085020.tif 000008
【図６】
2005085020.tif 000009
【図７】
2005085020.tif 000010
【図８】
2005085020.tif 000011